(57)【特許請求の範囲】
【請求項１】
鉱物原料の処理装置(１０，２０)と、処理装置の運転の間に、処理装置に供給するように配設された第１のコンベヤー(３０)とを具備し、前記第１のコンベヤー(３０)は第１の原料搬送部分(３１)を有する、鉱物原料の処理プラント(１００，２００，３００，４００)において、
前記第１のコンベヤー(３０)は、第２の原料搬送部分(３２)と、枢支部(３３)とを有し、
前記第２の原料搬送部分は、前記第１の原料搬送部分に対し、
−  搬送された原料が前記第２の原料搬送部分の排出端部(３２’)を介して、前記処理装置(１０，２０)に搬送されるように配設された動作位置に、
−  前記動作位置に対して第１の回動方向にあり、前記第２の原料搬送部分の排出端部の突出部が、上から見られたときに、処理装置の持ち上げ中心を自由にするように配置されている保守点検位置に、及び
−  前記動作位置に対して第２の回動方向にあり、前記第２の原料搬送部分の排出端部が、前記保守点検位置と比較して、反対の回動方向にある搬送位置に、
前記枢支部(３３)によって回動可能に装着されており、
前記搬送位置で、第２の原料搬送部分の排出端部は、処理装置の運転の間に、処理装置の供給ホッパー(１２)と処理装置との最高ポイントにより規定された高さを実質的に超えない高さで、処理装置(１０)に接近している、ことを特徴とする処理プラント。
【請求項２】
この処理プラントは、前記処理装置として、クラッシャー(１０)、スクリーン(２０)、又は、クラッシャー(１０)とスクリーン(２０)とを有していることを特徴とする、請求項１に記載の処理プラント。
【請求項３】
この処理プラントは、第１の処理装置としてクラッシャー(１０)を有し、第２の処理装置としてスクリーン(２０)を有していることを特徴とする、請求項１に記載の処理プラント。
【請求項４】
前記搬送位置と保守点検位置との間の前記動作位置は、更に、前記第１のコンベヤー(３０)に連続するように接続されて第２の処理装置(２０)に供給するように配設された第２のコンベヤー(４０)への第２の原料搬送部分(３２)の供給位置を含んでいることを特徴とする、請求項１に記載の処理プラント。
【請求項５】
この処理プラントは、前記処理装置としてクラッシャー(１０)を有し、又、更に、クラッシャーのそばにモータモジュール(５０)を具備し、そして、第２の原料搬送部分(３２)により供給する原料は、前記モータモジュールの上方に位置されることを特徴とする、請求項１に記載の処理プラント。
【請求項６】
前記保守点検位置で、前記第２の原料搬送部分の排出端部(３２’)の突出
部が、上方から見て、前記モータモジュール(５０)の持ち上げ中心を自由にさせるように位置されることを特徴とする、請求項５に記載の処理プラント。
【請求項７】
前記第１のコンベヤー(３０)は、前記第１の原料搬送部分（３１）に対して前記第２の原料搬送部分（３２）を回動させるように配設された１つの流圧アクチュエータ（８０）又は１対の流圧アクチュエータを有していることを特徴とする、請求項１に記載の処理プラント。
【請求項８】
前記第１のコンベヤー(３０)は、前記第１及び第２の原料搬送部分の上に形成され、前記枢支部の所で折られ得るダストカバーを有していることを特徴とする、請求項１に記載の処理プラント。
【請求項９】
前記第１のコンベヤー(３０)は、原料を前記処理装置に供給するための供給ホッパー(３４)を有していることを特徴とする、請求項１に記載の処理プラント。
【請求項１０】
前記第１のコンベヤー(３０)は、前記第１の原料搬送部分（３１）と前記第２の原料搬送部分（３２）との周りに、連続した搬送面を形成しているエンドレスの搬送部材を有していることを特徴とする、請求項１に記載の処理プラント。
【請求項１１】
前記処理装置(１０)は、処理装置の供給ホッパー(１２)を有し、この供給ホッパーは、開口するように回動可能な側部(１１)を有し、又、前記第２の原料搬送部分の排出端部は、搬送位置で、前記回動可能な側部(１１)を介して前記供給ホッパーの側部間へと設定されていることを特徴とする、請求項１に記載の処理プラント。
【請求項１２】
この鉱物原料の処理プラントは、移動可能な破砕プラントであることを特徴とする、請求項１に記載の処理プラント。
【請求項１３】
鉱物原料の処理装置(１０，２０)と、処理装置の運転の間に、処理装置に供給する第１のコンベヤー(３０)とを具備し、前記第１のコンベヤー(３０)は、第１の原料搬送部分(３１)を有する、鉱物原料の処理プラントを運転させるための方法において、
前記第１のコンベヤー(３０)は、第２の原料搬送部分(３２)と、枢支部(３３)とを有し、
第２の原料搬送部分は、第１の原料搬送部分に対し、
−  搬送された原料が前記第２の原料搬送部分の排出端部(３２’)を介して、前記処理装置(１０，２０)に搬送されるように配設された動作の時間のための動作位置に、
−  前記動作位置に対して第１の回動方向にあり、前記第２の原料搬送部分の排出端部の突出部が、上から見られたときに、処理装置の持ち上げ中心を自由にするように配置されている保守点検位置に、及び
−  前記動作位置に対して第２の回動方向にあり、前記第２の原料搬送部分の排出端部が、前記保守点検位置と比較して、反対の回動方向にある搬送位置に、
前記枢支部(３３)によって回動可能に装着されており、
前記第２の原料搬送部分の排出端部は、処理装置の運転の間に、処理装置の供給ホッパー(１２)と処理装置との最高ポイントにより規定された高さを実質的に超えない高さで、処理装置(１０)に接近している、ことを特徴とする方法。
【請求項１４】
クラッシャー(１０)により破砕するか、スクリーン(２０)によりふるい分けするか、又は、クラッシャー(１０)とスクリーン(２０)とにより破砕とふるい分けとをするように処理プラントを運転させることを特徴とする、請求項１３に記載の方法。
【請求項１５】
前記動作位置で、前記第１のコンベヤー(３０)に連続するように接続されて第２の処理装置(２０)に供給する第２のコンベヤー(４０)に、第２の原料搬送部分(３２)による原料を供給することを特徴とする、請求項１３に記載の方法。
【請求項１６】
前記第１のコンベヤー(３０)に設けられた１つの流圧アクチュエータ（８０）又は１対の流圧アクチュエータにより、前記第１の原料搬送部分（３１）に対して前記第２の原料搬送部分（３２）を回動させることを特徴とする、請求項１３に記載の方法。
【請求項１７】
前記処理装置(１０)に設けられた供給ホッパー(１２)の回動可能な開口側部(１１)を開口させることと、前記第２の原料搬送部分の排出端部を、搬送位置で、前記回動可能な開口側部(１１)を介して前記供給ホッパーの側部間へ設定することとを特徴とする、請求項１３に記載の方法。
【発明の詳細な説明】
【技術分野】
【０００１】
本発明は、鉱物原料処理に関する。本発明は、排他的ではないが、鉱物原料処理プラントにおけるコンベヤーの解決策に特に関する。
【背景技術】
【０００２】
例えば岩石といった鉱物原料が、爆破又は掘削による破砕によって大地から得られる。岩石は、天然の石及び砂利、又は建設廃棄物であっても良い。移動式の破砕装置及び固定式の破砕装置が、破砕では用いられている。掘削機又は車輪の付いたローダが、破砕される原料をクラッシャーの供給ホッパーへと投入し、その供給ホッパーから、破砕される原料はクラッシャーの顎部の中に落下し得る、又は、供給機が岩石材料をクラッシャーに向かって移動させる。破砕される原料は、コンクリート、ブロック、又はアスファルトなど、再生可能な材料であってもよい。
【０００３】
コンベヤーは、移動可能な鉱物原料の処理プラントにおいて、プラントの長さ、幅、及び／又は高さをしばしば大きくしてしまう。このため、コンベヤーは、運転の間は、プラントの搬送又は保守の間とは別の場所に位置され得る。プラントの運転位置からプラントの搬送又は保守点検の位置へとコンベヤーを移動することは、場合によって、所定位置からコンベヤーを取り外すことを必要とする。また、コンベヤーは搬送のためにプラントに装着されている。多くの場合、コンベヤー全体が、例えば、許容される搬送ディメンション（高さ、幅、長さ）内に、又は、道路交通における認可を必要とする搬送ディメンション内にコンベヤーを保つために、その位置から移動させなければならない。
【０００４】
幾つかの公知の鉱物原料の処理プラントでは、クラッシャー／スクリーンは、コンベヤーを供給端に向かわせつつ下方へと移動することで搬送／保守点検の位置へと移動される構成のコンベヤーによって、供給される。コンベヤーの移動のために使用される移動機構は、重くかつ高価な構造である。クラッシャーから離すようなコンベヤーの移動は、プラントの供給端にスペースを必要とし、これは、当該プラントが、いくつかのプラントの処理で運転している移動式の破砕プラントであり、供給プラントが受けプラントの近くにある場合、問題となり得る。この場合、供給プラントが、受けブラントの保守の前に移動させなければならない。スライド機構及び伸縮式の作動脚が、プラントにおいてコンベヤーの長手方向の移動のために使用される。スライド機構は、非常に汚れた環境を許容し、生産の不正確性に対して敏感である。
【０００５】
公知の移動可能な破砕及びふるい分けのプラントでは、クラッシャーで破砕される原料は、クラッシャーからスクリーンへの閉じたループでコンベヤーによって循環される。スクリーンの残余物はクラッシャーへと案内される。スクリーンを通過した生成物は、同じプラントにおけるさらなる処理、鉱物原料を処理する別のプラント、又は、堆積所へと案内され得る。長い単一構成のコンベヤーが、スクリーンに供給するためのこの閉じたループのプラントで使用され、このコンベヤーは、シリンダーの作動によって搬送位置へと移動される。スクリーンに供給する長いコンベヤーはクラッシャーの側にあり、これは搬送の幅を大きくし、スクリーンに供給されるとき、原料は、例えば振動シュート又はホッパーによって主コンベヤーから供給コンベヤーへと横に移動させる必要性をもたらす。そこで、処理は、余分な摩耗部品（振動シュート、ホッパー）を含み、原料は側方方向からスクリーンへと到達する。ここで、原料がスクリーン上で均一に広がるかが問題となる。代わって、は、プラントは、コンベヤーをクラッシャーの搬送及び保守のためにクラッシャーから移動させることができる高価で重量があり多くの場合で信頼性のない移動機構を、備えなければいけない。代わって、は、コンベヤーは、プラントの傍らに持ち込まれなければならない別体の吊り上げ機によって持ち上げられなければならず、これは高価で時間が掛かる。
【発明の概要】
【０００６】
本発明の目的は、先行技術と関連して存在する問題を回避又は少なくとも低減することである。本発明の目的は、新規の技術的代替を提供することである。本発明の目的は、搬送位置と動作位置との間のコンベヤーの移動を簡単かつ迅速にすることである。本願発明の目的は、鉱物原料の処理プラントの保守性を高めることである。本発明の目的は、鉱物原料の処理プラントの運転信頼性、有用性、及び搬送性を高めることである。本発明の目的は、鉱物原料の処理プラントを簡素化することである。本発明の目的は、例えば、停止時間を短くする鉱物原料の理を高める、例えば、停止時間を短くすることである。
【０００７】
本願発明の第１の態様に係われば、鉱物原料の処理装置と、処理装置の運転の間に、処理装置に供給するように配設された第１のコンベヤーとを具備し、前記第１のコンベヤーは、第１の原料搬送部分を有し、前記第１のコンベヤーは、第２の原料搬送部分と、第２の原料搬送部分を第１の原料搬送部分に、搬送された原料が前記第２の原料搬送部分の排出端部を介して、前記処理装置に搬送されるように配設された動作位置と、前記動作位置に対して第１の回動方向にあり、前記第２の原料搬送部分の排出端部の突出部が、上から見られたときに、処理装置の持ち上げ中心を自由にするように配置されている保守点検位置と、に回動可能に装着させる枢支部とを有している、処理プラントが、提供される。
【０００８】
好ましくは、前記第２の原料搬送部分は、搬送位置に回動された第１の原料搬送部分に対して装着され、処理装置の垂直の中心線には実質的に垂直であり、処理装置の長軸に実質的に平行である。
【０００９】
好ましくは、前記第２の原料搬送部分は、前記動作位置に対して第２の原料搬送部分の反対の回動方向にある搬送位置に回動されて、第１の原料搬送部分に対して前記枢支部により装着され、又、この搬送位置で、第２の原料搬送部分の排出端部は、処理装置の運転の間に、処理装置の供給ホッパーと処理装置との最高ポイントにより規定された高さを実質的に超えない高さで、処理装置に接近している。
【００１０】
好ましくは、前記保守点検位置は、例えば、保守点検と関連して、処理装置(例えば、クラッシャー又はクラッシャーの摩耗部品)を持ち上げ可能にしている。好ましくは、この保守点検位置で、排出部の突出部は、上から見て処理装置の突出部とは合っていないか、又は、処理装置の突出部を自由にさせている。好ましくは、処理装置、又は、処理装置の一部が、中心／重心から持ち上げられるときに、持ち上げスペースが、処理装置の少なくとも重心の所で持ち上げワイヤのために自由になっている。
【００１１】
好ましくは、この処理プラントは、前記処理装置として、クラッシャー、スクリーン、又は、クラッシャーとスクリーンとを有している。
【００１２】
好ましくは、第１の処理装置としてクラッシャーを有し、第２の処理装置としてスクリーンを有している。
【００１３】
好ましくは、前記搬送位置と保守点検位置との間の前記動作位置は、更に、前記第１のコンベヤーに連続するように接続されて第２の処理装置に供給するように配設された第２のコンベヤーへの第２の原料搬送部分の供給位置を含んでいる。
【００１４】
好ましくは、この処理プラントは、前記処理装置としてクラッシャーを有し、又、更に、クラッシャーのそばにモータモジュールを具備し、そして、第２の原料搬送部分により供給する原料は、前記モータモジュールの上方に位置されている。
【００１５】
好ましくは、前記保守点検位置で、前記第２の原料搬送部分の排出端部の突出部が、上方から見て、前記モータモジュールの持ち上げ中心を自由にさせるように位置されている。
【００１６】
好ましくは、前記保守点検位置は、かくして、コンベヤーを取り外さないで、例えば、保守点検と関連してモータモジュールの持ち上げを可能にしている。好ましくは、保守点検位置で、排出端部の突出部は、上方から見て、モータモジュールの突出部を自由にもたらしている。好ましくは、モータモジュールが、中心／重心から持ち上げられるときに、持ち上げスペースが、モータモジュールの少なくとも重心の所で持ち上げワイヤのためにフリーになっている。
【００１７】
好ましくは、前記第１のコンベヤーは、前記第１の原料搬送部分に対して前記第２の原料搬送部分を回動させるように配設された１つの流圧アクチュエータ又は１対の流圧アクチュエータを有している。
【００１８】
好ましくは、前記流圧アクチュエータは、流圧シリンダーである。第１のコンベヤーの全ての位置(動作位置と搬送位置と保守点検位置)には、変えられ得る長さを有する単一の流圧アクチュエータ、又は、１対として機能する２つの伸縮可能なアクチュエータ、により簡単に達し得る。
【００１９】
好ましくは、前記第１のコンベヤーは、前記第１及び第２の原料搬送部分の上に形成され、前記枢支部の所で折られ得るダストカバーを有している。
【００２０】
好ましくは、前記第１のコンベヤーは、原料を前記処理装置に供給するための供給ホッパーを有している。好ましくは、この供給ホッパーは、第１の原料搬送部分に固定されている。
【００２１】
好ましくは、前記第１のコンベヤーは、前記第１の原料搬送部分と前記第２の原料搬送部分との周りに、連続した搬送面を形成しているエンドレスの搬送部材を有している。
【００２２】
好ましくは、前記第１のコンベヤーは、前記第１の原料搬送部分にある第１のエンドレス搬送部材と、前記第２の原料搬送部分にある第２のエンドレス搬送部材とを有し、これらエンドレス搬送部材は、前記第１のコンベヤーの周りに連続した搬送面を形成している。
【００２３】
好ましくは、前記処理装置は、処理装置のための供給ホッパーを有し、この供給ホッパーは、開口するように回動可能な側部を有し、又、前記第１の原料搬送部分の排出端部は、搬送位置で、前記回動可能な側部を介して前記供給ホッパーの側部間へと設定されている。
【００２４】
好ましくは、この鉱物原料の処理プラントは、移動可能な破砕プラントである。
【００２５】
本願発明の第２の態様に係われば、鉱物原料の処理装置と、処理装置の運転の間に、処理装置に供給する第１のコンベヤーとを具備し、前記第１のコンベヤーは、第１の原料搬送部分を有する、鉱物原料の処理プラントを運転させるための方法であって、前記第１のコンベヤーは、第２の原料搬送部分と、第２の原料搬送部分を第１の原料搬送部分に、搬送された原料が前記第２の原料搬送部分の排出端部を介して、前記処理装置に搬送されるように配設された動作の時間のための動作位置と、前記動作位置に対して第１の回動方向にあり、前記第２の原料搬送部分の排出端部の突出部が、上から見られたときに、処理装置の持ち上げ中心を自由にするように配置されている保守点検位置と、に回動可能に支持される枢支部とを有している、方法を提供する。
【００２６】
好ましくは、搬送の時間の間、前記保守点検位置と比較して前記動作位置に対して第２の原料搬送部分の反対の回動方向で、搬送位置に前記第２の原料搬送部分を回動させ、前記搬送位置で、第２の原料搬送部分の排出端部は、処理装置の運転の間に、処理装置の供給ホッパーと処理装置との最高ポイントにより規定された高さを実質的に超えない高さで、処理装置に接近している。
【００２７】
好ましくは、クラッシャーにより破砕するか、スクリーンによりふるい分けするか、又は、クラッシャーとスクリーンとにより破砕とふるい分けとをするように処理プラントを運転させる。
【００２８】
好ましくは、前記動作位置で、前記第１のコンベヤーに連続するように接続されて第２の処理装置に供給する第２のコンベヤーに、第２の原料搬送部分による原料を供給する。
【００２９】
好ましくは、前記第１のコンベヤーに設けられた１つの流圧アクチュエータ又は１対の流圧アクチュエータにより、前記第１の原料搬送部分に対して前記第２の原料搬送部分を回動させる。
【００３０】
好ましくは、前記処理装置に設けられた供給ホッパーの回動可能な開口側部を開口させることと、前記第１の原料搬送部分の排出端部を、搬送位置で、前記回動可能な側部を介して前記供給ホッパーの側部間へ設定する。
【００３１】
好ましくは、前記クラッシャーは、ジョークラッシャーと、水平シャフトインパクターと、垂直シャフトインパクターと、旋動クラッシャーと、円錐クラッシャーとのいずれかである。
【００３２】
好ましくは、鉱物原料の処理プラントは、移動可能なふるい分け及び破砕プラントのような移動可能なプラントである。
【００３３】
処理の搬送のために動作される第１のコンベヤーは、枢支部を有し、又、搬送位置(搬送高さ)でのコンベヤーの端部の回動は、コンベヤー全体を分解又はその位置から移動させることがなく、前記枢支部を使用することにより可能である。
【００３４】
前記枢支部の効果は、コンベヤーの先端部が、上方に回動されて、例えば、摩耗部品を交換するときの持ち上げ装置の動作のために、クラッシャーの周り且つ上方に好ましい保守点検スペースを確保できることである。
【００３５】
前記クラッシャーへは、第１のコンベヤーにより直接か、又は、マシンに応じて、例えば、スクリーンに送る、例えば、第２のコンベヤーにより搬送される。
【００３６】
コンベヤーを移動させるための高価で不都合なメカニズムが、この構成からは除去されている。それにもかかわらず、クラッシュの上方に保守点検スペースを確保しておく必要はない。
【００３７】
同じ第１のコンベヤーが、スクリーンを備えているプラントと備えていないプラントとの両方に使用され得る。
【００３８】
プラントの搬送ディメンションは、第１のコンベヤーが、プラントに対して長手方向及び／又は横方向に動かされる必要がないときには、増大しない。
【００３９】
このプラントの有用性は、比較的広いスペースが、コンベヤーと保守点検の対象物との間に加えられ得るときには、高くかつ早くなる。
【００４０】
クラッシャー及び／又はスクリーンに対する第１のコンベヤーの動作位置は、コンベヤーの回動メカニズムが、幾種かの位置を形成するように利用され得るときには、各意図された動作に従って適切に最適化され得る。必要であれば、第１のコンベヤーは、例えば、スクリーンの上方の第２のコンベヤーが、スクリーンの傾斜が調節されるときにスクリーンと共に移動される場合には、第２のコンベヤーの上に原料を排出するために、第２のコンベヤーに対して適切な位置に調節され得る。
【００４１】
動作位置と、搬送位置と、保守点検位置とへは、１つの枢支部により実行され得る。
【００４２】
本願発明の異なる実施の形態が、幾つかの発明の態様に関連してのみ、図示され、又は、説明されるであろう。当業者は、本願発明の態様の如何なる実施の形態が、本願発明の同じ態様と、他の態様、又は、他の実施の形態と組み合わされて適用可能であることとは、理解できる。
【００４３】
本願発明は、添付の図面を参照して、例示的な方法で記載される。
【図面の簡単な説明】
【００４４】
【図１】図１は、第１のコンベヤーがクラッシャーに搬送する動作位置にある、本願発明の第１の好ましい実施の形態に係わる鉱物原料の処理プラントを示している。
【図２】図２は、ふるい分けと破砕との間、第１のコンベヤーが、第２のコンベヤーを介してスクリーンに搬送する動作位置ある、クラッシャーとスクリーンとを備えた、本願発明の第２の好ましい実施の形態に係わる鉱物原料の処理プラントを示している。
【図３】図３は、第１のコンベヤーが、クラッシャーに搬送する動作位置にあり、スクリーンが、破砕の間に動作されていない、図２の処理プラントを示している。
【図４】図４は、搬送位置にある、図２の処理プラントを示している。
【図５】図５は、保守点検位置にある、図２の処理プラントを示している。
【図６】図６は、夫々異なる位置での枢支領域での好ましい実施の形態に係わる第１のコンベヤーを示している。
【図７】図７は、夫々異なる位置での枢支領域での好ましい実施の形態に係わる第１のコンベヤーを示している。
【図８】図８は、夫々異なる位置での枢支領域での好ましい実施の形態に係わる第１のコンベヤーを示している。
【図９】図９は、第１のコンベヤーの夫々異なる位置での、本願発明の第３の実施の形態に係わる鉱物原料の処理プラントを示している。
【図１０】図１０は、第１のコンベヤーの夫々異なる位置での、本願発明の第３の実施の形態に係わる鉱物原料の処理プラントを示している。
【図１１】図１１は、第１のコンベヤーの夫々異なる位置での、本願発明の第３の実施の形態に係わる鉱物原料の処理プラントを示している。
【図１２】図１２は、第１のコンベヤーの夫々異なる位置での、本願発明の第４の実施の形態に係わる鉱物原料の処理プラントを示している。
【図１３】図１３は、第１のコンベヤーの夫々異なる位置での、本願発明の第４の実施の形態に係わる鉱物原料の処理プラントを示している。
【図１４】図１４は、第１のコンベヤーの夫々異なる位置での、本願発明の第４の実施の形態に係わる鉱物原料の処理プラントを示している。
【図１５】図１５は、第１のコンベヤーの夫々異なる位置での、本願発明の第４の実施の形態に係わる鉱物原料の処理プラントを示している。
【発明を実施するための形態】
【００４５】
以下の説明において、同じ参照符号は、類似の部材を示している。図示された図面は、全体に渡って比例していなく、又、図面は、主として、本願発明の幾つかの例示的な実施の形態を説明の目的のものである。
【００４６】
図１は、処理装置として機能するクラッシャー１０に供給する第１のコンベヤー３０が、動作位置と保守点検位置とに、枢支部３３により回動させて移る、鉱石原料の処理プラント１００が示されている。この第１のコンベヤーは、と、第２の原料搬送部分３２と、前記枢支部３３とを有している。この枢支部により、第２の原料搬送部分は、第１の原料搬送部分に対して、枢支可能に支持されている。
【００４７】
好ましい実施の形態に係われば、前記第１のコンベヤー３０は、ベルトのようなエンドレスの搬送部材を有している。この搬送部材は、第１の原料搬送部分３１と第２の原料搬送部分３２との全体に渡って連続した搬送面を形成している。
【００４８】
他の好ましい実施の形態に係われは゛は、第１のコンベヤー３０は、第１の原料搬送部分３１にある第１のベルトのような第１のエンドレス搬送部材と、第２の原料搬送部分にある第２のベルトのような第２のエンドレス搬送部材とを有している。これら搬送部材は、第１のコンベヤーの全体に渡って連続している搬送面を形成している。
【００４９】
前記第１のコンベヤーは、原料を図１の処理プラントに供給するための供給ホッパー３４を更に有している。この供給ホッパーは、図１で第１の原料搬送部分３１に固定されている。動作の間、クラッシャー１０の最高のポイントは、クラッシャーに固定されているか、又は、クラッシャーの上側フレームに一体的に固定されている。前記供給ホッパーは、第１のコンベヤー３０の第２の原料搬送部分３２の所に開口した回動可能な側部１１を有している。
【００５０】
前記第２の原料搬送部分は、動作位置に対して第２の回動方向にある搬送位置へと回動され得る。この搬送位置では、第２の原料搬送部分の排出端部が、処理装置とこの処理装置の供給ホッパー１２の動作の間に最高のポイントにより規定される高さを実質的に超えない高さで、処理装置１０に接近している。
【００５１】
前記搬送位置で、クラッシャーのような処理装置の側部は、動作位置からクラッシャーの上側のフレームに向かって下方に回動され得る。
【００５２】
幾つかの好ましい実施の形態では、前記第１のコンベヤー３０は、第１の原料搬送部分３１と第２の原料搬送部分３２との上に形成されたダストカバー(図示されず)を有している。このダストカバーは、第１のコンベヤーの搬送面の上方に、好ましくは、接続されたダストシールドを形成するように、枢支部の所で折られ得る。
【００５３】
図１は、搬送される材料が、第２の原料搬送部分の排出端部３２’を介してクラッシャー１０に直接搬送されるように配置されている動作位置としての第１の位置を示している。第１の位置での第１のコンベヤー３０の前記枢支部３３の領域の例は、図６に示されている。
【００５４】
処理プラントの搬送の間、第２の原料搬送部分３２は、第２の位置(搬送位置)に回動される。この第２の位置での第１のコンベヤー３０の前記枢支部３３の領域の例は、図８に示されている。第２の位置で、第２の原料搬送部分は、第１の位置に対して、第２の回動方向に回動され、第２の原料搬送部分の排出端部３２’は、図４，１０、１４に示されているように、クラッシャーの最高ポイントを実質的に超えない高さで、クラッシャー１０に近接している。好ましい実施の形態に係われば、開口した回動側が、クラッシャー１０の供給ホッパーの側面間にある。
【００５５】
図２乃至５は、クラッシャー１０とスクリーン２０とを有する処理プラント２００を示している。好ましくは、クラッシャー又はスクリーン、もしくは両者は、処理装置として処理プラント２００内で同時に動作され得る。
【００５６】
図２では、第１のコンベヤー３０は、クラッシャー１０を運ぶスクリーン２０に、第２のコンベヤー４０を介して送る動作位置でのふるい分け及び破砕の間にある。破砕され得る原料は、処理プラント２００の外側から第１のコンベヤー３０の供給ホッパー３４の中に入れられるか、もしくは、クラッシャー１０の中に、又はクラッシャー１０と供給ホッパー３４との中に直接に入れられる。前記スクリーン２０は、１つの第１のスクリーンデッキ２１と、所望数の下側スクリーンデッキとを有している。スクリーンデッキ２１の残部が、スクリーンからクラッシャーへと案内される。スクリーン２０は、スクリーンデッキに対するふるい分け動を行わせるための振動ユニットのようなバイブレータ２４を有している。又、スクリーン２０は、スクリーンと第２のコンベヤー４０とを動作位置に、又動作位置から動かすための支持アーム２５を有している。好ましくは、このスクリーン２０は、２-３-又は４−スクリーンデッキのような多デッキのスクリーンであり、これらの下側のスクリーンデッキのメッシュのデイメンションは、上方のスクリーンデッキのメッシュのディメンションよりも小さい。好ましくは、前記第１のすて２１は、最も上側のスクリーンデッキである。
【００５７】
図３では、処理プラント２００の第１のコンベヤー３０は、図１に示されるように、クラッシャー１０に直接に送る動作位置にある。スクリーン２０は、図３の位置での破砕の間には動作されていない。スクリーン２０は、支持アームにより動作位置から離れるように動かされ、プラント２００の長手方向に回動可能な支持アームにより支持され、そして、プラントのフレーム(図２乃至５には示されていない)に接近するように下降される。このときに、第２のコンベヤー４０は、第１のコンベヤー３０との送り用の接続を解除するように動かされる。好ましくは、第２のコンベヤー４０の始動端部は、プラントの長手方向で見て、第１のコンベヤーよりもクラッシャーの他側に動かされ、ここでは、第２のコンベヤーは、スクリーンに接近するように下降され得、プラントの搬送高さが減じている。かくして、スクリーンは、第１のコンベヤーにより送られず、スクリーンは、クラッシャーを送ることができない。代わって、このスクリーンは、この位置に保たれ得、又、第２のコンベヤーは、第１のコンベヤーとの前記送り接続から解除されるように動かされ得る。図４で、処理プラント２００の第１のコンベヤー３０は、第２の位置(下方)に回動された搬送位置にある。第２のコンベヤー４０は、図３の位置から更に下方へと、スクリーンの最上のスクリーンデッキ２１に向かって接近するように、好ましくは、ンスの両側に位置された側部間に、下降される。かくして、第２のコンベヤー４０も搬送位置にある。第１のコンベヤー３０の第２の原料搬送部分３２の排出端部３２’は、クラッシャー１０の供給ホッパーの開口かつした回動された側部１１により形成された開口を通って、供給ホッパーの両側部間へと、好ましくは、クラッシャー上へと下降されている。かくして、第１のコンベヤー３０と第２のコンベヤー４０との最高ポイントは、処理装置の最高ポイントにより規定されている高さを実質的に超えない高さとなっている。
【００５８】
好ましくは、第２の原料搬送部分の長軸は、クラッシャーのような処理装置の垂直中心軸とほぼ垂直に交差しており、又、第２のコンベヤーの長軸及び処理装置の長軸とほぼ平行である。
【００５９】
図５は、第２の原料搬送部分３２の排出端部３２’が、図３の位置から、第１の位置(上方)に対して反対の回動方向に、例えば、保守点検のために、回動された図２の処理プラント２００を示している。この第３の位置で、第２の原料搬送部分の前記排出端部の突出部は、上方から見て処理装置の持ち上げ中心(lifting centre)を自由にさせるように配設されている。持ち上げロープや把持部材のような持ち上げ装置９０は、持ち上げの間、第２の原料搬送部分３２とは当たらない。かくして、例えば、クラッシャーは、その場所から僅かに持ち上げられ、そして、処理プラントの脇へと移動される。この第３の位置は、クラッシャー又はクラッシャーの消耗部品を、第１のコンベヤー３０のその場所からの除去又は離さないで、持ち上げることを可能にしている。好ましくは、この第３の位置で、上方から見た排出端部の突出部は、処理装置の突出部とは合わず、又、処理装置の突出部を自由にさせるように配設されている。好ましくは、処理装置又は処理装置の一部が、中心／重心から持ち上げられているときには、持ち上げワイヤに対して少なくとも処理装置の重心の所で、持ち上げスペースが自由にされている。
【００６０】
図６乃至８は、異なる位置にある第１のコンベヤー３０を示している。このコンベヤー３０は、図１乃至５、及び、９乃至１５に示されている処理プラント１００，２００，３００，４００に適用され得る。第１のコンベヤーは、第１の原料搬送部分３１に対して第２の原料搬送部分３２を回動させるように配設された１つの流圧アクチュエータ８０又は１対の流圧アクチュエータを有している。好ましくは、第１の原料搬送部分３１は、処理プラント１００，２００，３００，４００のフレームに固定されフレームに対して動かされる必要はない。
【００６１】
図６乃至８で、前記流圧アクチュエータは、好ましくは２重動作、即ち、伸縮する流圧シリンダー８０である。第１のコンベヤー３０の全ての位置(動作位置と搬送位置と保守点検位置)には、単一の流圧アクチュエータ、又は、コンベヤーの異なる側で平行に配置され得る１対としての２つの伸縮可能なアクチュエータ、により簡単に達し得る。
【００６２】
流圧シリンダーの第１の端部８１は、好ましくは、枢支部３３の上方で、第１の原料搬送部分３１に装着されている。流圧シリンダーの第２の端部８２は、好ましくは、枢支部３３の上方で、第２の原料搬送部分３２に装着されている。この第２の原料搬送部分３２は、流圧シリンダーを伸縮させることにより、枢支部３３を中心として第１の原料搬送部分３１に対して回動される。
【００６３】
前記第１のコンベヤー３０は、第１のストップ面３６’及び第２のストップ面３６”を有するストップ部材３６とストッパー３５とを備えている制限装置を有している。これらストップ部材とストッパーとは、一緒になって第２の原料搬送部分３２の移動範囲を規定する。図６乃至８で、前記ストップ部材３６は、第２の原料搬送部分３２に固定されており、又、ストッパー３５は、第１の原料搬送部分３１に固定されているけれども、これらは、枢支部３３の異なる側での２つの原料搬送部分に反対に配置されても良い。
【００６４】
第１のコンベヤー３０は、ロック装置を有し、このロック装置により両原料搬送部分は、所望の第１、第２、及び第３の位置に、これら原料搬送部分が前記位置に流圧シリンダー８０により回動されたときに、ロックされる。このロック装置は、図６乃至８の実施の形態では、ピン３７を有している。このピンは、第１の原料搬送部分３１に配置された孔に適応され、又、第２の原料搬送部分３２の前記位置に夫々対応して第２の原料搬送部分３２に配置されている第１のカウンター孔３８、第２のカウンター孔３８’、及び、第３のカウンター孔３８”に押され得る。このピン３７は、その場所に、例えば、コッター(図示されていない)によりロックされ得る。好ましくは、把持ハンドルが、容易に取り扱うために、ピン３７に配設されている。
【００６５】
前記制限装置(ストッパー３５及びストップ部材３６)とロック装置(ピン３７及びカウンター孔３８’、３８”)とは、原料搬送部分３２の第２及び第３の位置で、制限装置が、移動範囲の極限で、移動範囲の境の所で遅くとも第２の原料搬送部分を停止させるように、一緒に動作するように配設されている。この結果、ストップ面３６’、３６”は、ストッパー３５に対してアクチュエータ８０により駆動され得、又、この駆動された位置が、ロック装置によりロックされ得る。
【００６６】
好ましい実施の形態に係われば、第２の原料搬送部分３２と共動く、前記制限装置及びロック装置の部分は、ストップ部材３６に形成さている。この結果、カウンター孔３８、３８’、３８”とストップ面３６’、３６”とを有するストップ部材３６を第１のコンベヤー３０に置き換えることにより、異なる適用場所やプラントで存在している要求に対応するように第２の原料搬送部分の移動経路の制限を容易に変更することが可能である。
【００６７】
図６では、第２の原料搬送部分３２は、第１の位置(動作位置)にある。この位置では、ピン３７は、第１のカウンター孔３８中に装着され、又、シリンダー８０は、移動の中心領域にある。
【００６８】
図８は、第２の位置(搬送位置)を示している。この位置では、第１のストップ面３６’は、ストッパー３５に下側から当接し、ピン３７は、第２のカウンター孔３８’に装着され、そして、シリンダー８０は、伸ばされている。
【００６９】
図７は、第３の位置(保守点検位置)を示している。ここでは、第２のストップ面３６” ストッパー３５に上側から当接し、ピン３７は、第３のカウンター孔３８”に装着され、そして、シリンダー８０は、縮められている。
【００７０】
図９乃至１１は、フレーム１と、フレームに固定されたクラッシャー１０と、第１のコンベヤー３０と、モータモジュール５０と、排出コンベヤー６０とを有する処理プラント３００を示している。フレーム１は、この実施の形態では、更に処理プラントを駆動するためのトラック基部を有している。
【００７１】
前記第１のコンベヤー３０は、図９で示された破砕の間、クラッシャー１０に供給する動作位置にある。破砕される原料は、プラント３００の外から、第１のコンベヤー３０の供給ホッパー３４に、又は、直接クラッシャー１０に、又は、両者１０，３４にもたらされる。破砕された原料は、排出コンベヤー６０によりプラント３００の外に出る。
【００７２】
図１０では、処理プラント３００の第１のコンベヤー３０は、第２の位置(下方)に回動されて搬送位置にある。コンベヤー３０の第２の原料搬送部分３２の排出端部３２’は、クラッシャー１０の、供給ホッパーが回動されて開口した側に形成されている開口を介して、供給ホッパーの両壁間の中に、好ましくは、クラッシャーの上に、下降されている。かくして、第１のコンベヤー３０の最高ポイントは、処理装置の最高ポイントにより規定されている高さ超えていない。図１０の場合には、プラント３００の最高のポイント、即ち、搬送高さは、クラッシャーの供給ホッパーの側部により規定されている。
【００７３】
図１１において、処理プラント３００の第２の原料搬送部分３２の排出端部３２’は、例えば、保守点検のために、第１の位置に対して反対の回動方向(上方)に、図１０の位置から回動されている。この第３の位置で、第２の原料搬送部分の排出端部の突出部は、上方から見て処理装置の持ち上げ中心を自由にさせるように配設されている。持ち上げロープや把持部材のような持ち上げ装置９０は、持ち上げの間、第２の原料搬送部分３２とは当たらない。かくして、例えば、クラッシャーは、その場所から僅かに持ち上げられ、そして、側方方向へと処理プラントの脇に移動される。この第３の位置は、クラッシャー又はクラッシャーの消耗部品を、第１のコンベヤー３０のその場所からの除去又は離さないで、持ち上げることを可能にしている。好ましくは、この第３の位置で、上方から見た排出端部の突出部は、処理装置の突出部とは合わず、又、処理装置の突出部を自由にさせるように配設されている。好ましくは、処理装置又は処理装置の一部が、中心／重心から持ち上げられているときには、持ち上げワイヤに対して少なくとも処理装置の重心の所で、持ち上げスペースが自由にされている。
【００７４】
図１２乃至１５は、フレーム１と、フレームに固定されたクラッシャー１０と、モータモジュール５０と、第１のコンベヤー３０と、第２のコンベヤー４０と、スクリーン２０とを有する処理プラント４００を示している。
【００７５】
図２乃至５の表示に加えて、フレーム１とモータモジュール５０とは、図１２乃至１５のプラント４００に示されている。モータモジュール５０は、クラッシャーの傍にあり、第２の原料搬送部分３２により供給された原料は、モータモジュールの上方に配置される。スクリーン２０は、第１のスクリーンデッキ２１と第２のスクリーンデッキ２２と第３のスクリーンデッキ２３とを有している多層スクリーンとして設けられている。このスクリーンは、スクリーン及びフレームと一緒になって四節リンク機構を構成している枢支された支持アーム２５，２６によりフレームに支持されている。フレーム１は、この実施の形態では、処理プラントを移動させるためのトラックベースを、更に有している。クラッシャー又はスクリーン、もしくはこれら両者は、処理装置として、処理プラント４００で同時に動作され得る。
【００７６】
図１２では、第１のコンベヤー３０は、動作位置でのふるい分け及び破砕の間、クラッシャーに送るスクリーンへと、第２のコンベヤーを介して搬送している。破砕され得る原料は、処理プラント４００の外から、第１のコンベヤー３０の供給ホッパー３４の中に、又は、直接にクラッシャー１０の中に、もしくは、これら両者に供給される。最上位のスクリーンデッキ２１の残余物は、スクリーンらクラッシャーへと案内される。スクリーン２０は、スクリーン及び第２のコンベヤー４０を動作位置へ、又は、動作位置から離すように移動させるために、支持アーム２５、２６を備えている。
【００７７】
図１３では、処理プラント１００の第１のコンベヤー３０は、図１及び３に示されているように、クラッシャー１０に直接に供給する動作位置にある。スクリーン２０は、図１３の位置での破砕の間、動作されない。スクリーン２０は、支持アーム２５、２６によって動作位置から離れるように移動され、プラント４００の長手方向に回動可能である支持アームによって支持され、プラントのフレーム１へとより近くに下げられる。第２のコンベヤー４０は、第１のコンベヤー３０との供給連結から離れるように移動される。好ましくは、第２のコンベヤー４０の開始端は、プラントの長手方向で見たとき、第１のコンベヤーよりクラッシャーの他方側へと移動され、ここにおいて、第２のコンベヤーは、スクリーン２０の下方に接近され得え、プラント４００の高さは、減じている。
【００７８】
図１４では、処理プラント４００の第１のコンベヤー３０は、第２の位置へと(下方に)回動された搬送位置にある。また、第２のコンベヤー４０は、図４に示された位置に対応している搬送位置にある。第２の原料搬送部３２の排出端部は、好ましくはクラッシャー上で、供給ホッパーの両側の間において、クラッシャー１０の供給ホッパーの開放する回動可能な側部１１によって形成された開口を通って、下げられる。従って、第１のコンベヤー３０及び第２のコンベヤー４０の最高ポイントは、処理装置の最高ポイントによって定められた高さを実質的に越えない高さにある。
【００７９】
図１５では、第２の原料搬送部３２の排出端部は、例えば保守点検のために、図１３の位置から、第１の位置に対して反対の回動方向（好ましくは、垂直上向き）に回動されている。この第３の位置では、第２の原料搬送部の排出端部の突出部が、上方から見たとき、クラッシャー１０及びモータモジュール５０の持ち上げ中心を自由にしたままにするように位置されている。持ち上げロープなどの持ち上げ装置９０と把持部材とは、モータモジュール５０の持ち上げの間、第２の原料搬送部３２に当たらない。この第３の位置は、第１のコンベヤー３０を所定位置から除去すること、又は、第１のコンベヤー３０を取り外すことを必要とせずに、クラッシャー、クラッシャーの摩耗部品、又はモータモジュールの持ち上げを可能にしている。好ましくは、この第３の位置では、上方から見たときの排出端部の突出部が、処理装置又はモータモジュールの突出部と一致しないか、又は、処理装置／モータモジュールの突出部を自由にしたままにするように位置されている。好ましくは、処理装置、モータモジュール、又は、これらの部品が中心又は重心から持ち上げられたときには、持ち上げスペースが、少なくとも処理装置の重心において、持ち上げワイヤのために自由にされている。
【００８０】
上述された処理プラントは、トラックベースの代わりに、全部又は一部で、車輪に基づかれてもよく、又は、脚で移動可能であってもよい。代わって、処理プラントは、例えば、トラック又は別の外部動力源によって、移動可能／牽引可能であってもよい。先の提示に加えて、処理プラントは、固定式の処理プラントであってもよい。
【００８１】
又、流体アクチュエータ及び流体シリンダーに代えて、ウオームねじ又は電気シリンダーのような、変更可能な長さの他のタイプのものが、使用され得る。
【００８２】
前述の記載は、本発明の幾つかの実施形態の非限定的な例を提供している。本発明が、提示されている詳細に制限されないことと、しかし本発明が他の同等の手段で実施され得ることとは、当業者には明らかである。
【００８３】
先に開示されている実施形態の特徴の一部は、他の特徴を用いずに利益を得るために使
用されてもよい。そのため、前述の記載は、本発明の限定としてではなく、本発明の原理
の単なる例示として考慮されるものである。従って、本発明の範囲は、添付の特許請求の
範囲によって限定されるだけである。
以下に、出願当初の特許請求の範囲に記載の事項を、そのまま、付記しておく。
［１］  鉱物原料の処理装置(１０，２０)と、処理装置の運転の間に、処理装置に供給するように配設された第１のコンベヤー(３０)とを具備し、前記第１のコンベヤー(３０)は、第１の原料搬送部分(３１)を有する、鉱物原料の処理プラント(１００，２００，３００，４００)において、前記第１のコンベヤー(３０)は、第２の原料搬送部分(３２)と、
第２の原料搬送部分を第１の原料搬送部分に、
搬送された原料が前記第２の原料搬送部分の排出端部(３２’)を介して、前記処理装置(１０，２０)に搬送されるように配設された動作位置と、
前記動作位置に対して第１の回動方向にあり、前記第２の原料搬送部分の排出端部の突出部が、上から見られたときに、処理装置の持ち上げ中心を自由にするように配置されている保守点検位置と、に
回動可能に装着させる枢支部(３３)とを有している、ことを特徴とする処理プラント。
［２］  前記第２の原料搬送部分(３２)は、前記動作位置に対して第２の原料搬送部分の反対の回動方向にある搬送位置に回動されて、第１の原料搬送部分(３１)に対して前記枢支部(３３)により支持され、又、
この搬送位置で、第２の原料搬送部分の排出端部は、処理装置の運転の間に、処理装置の供給ホッパー(１２)と処理装置との最高ポイントにより規定された高さを実質的に超えない高さで、処理装置(１０)に接近していることを特徴とする［１］に記載の処理プラント。
［３］  この処理ブラントは、前記処理装置として、クラッシャー(１０)、スクリーン(２０)、又は、クラッシャー(１０)とスクリーン(２０)とを有していることを特徴とする［１］に記載の処理プラント。
［４］  この処理プラントは、第１の処理装置としてクラッシャー(１０)を有し、第２の処理装置としてスクリーン(２０)を有していることを特徴とする［１］に記載の処理プラント。
［５］  前記搬送位置と保守点検位置との間の前記動作位置は、更に、前記第１のコンベヤー(３０)に連続するように接続されて第２の処理装置(２０)に供給するように配設された第２のコンベヤー(４０)への第２の原料搬送部分(３２)の供給位置を含んでいることを特徴とする［２］に記載の処理プラント。
［６］  この処理プラントは、前記処理装置としてクラッシャー(１０)を有し、又、更に、クラッシャーのそばにモータモジュール(５０)を具備し、そして、第２の原料搬送部分(３２)により供給する原料は、前記モータモジュールの上方に位置されることを特徴とする［１］に記載の処理プラント。
［７］  前記保守点検位置で、前記第２の原料搬送部分の排出端部(３２’)の突出部が、上方から見て、前記モータモジュール(５０)の持ち上げ中心を自由にさせるように位置されることを特徴とする［６］に記載の処理プラント。
［８］  前記第１のコンベヤー(３０)は、前記第１の原料搬送部分（３１）に対して前記第２の原料搬送部分（３２）を回動させるように配設された１つの流圧アクチュエータ（８０）又は１対の流圧アクチュエータを有していることを特徴とする［１］に記載の処理プラント。
［９］  前記第１のコンベヤー(３０)は、前記第１及び第２の原料搬送部分の上に形成され、前記枢支部の所で折られ得るダストカバーを有していることを特徴とする［１］に記載の処理プラント。
［１０］  前記第１のコンベヤー(３０)は、原料を前記処理装置に供給するための供給ホッパー(３４)を有していることを特徴とする［１］に記載の処理プラント。
［１１］  前記第１のコンベヤー(３０)は、前記第１の原料搬送部分（３１）と前記第２の原料搬送部分（３２）との周りに、連続した搬送面を形成しているエンドレスの搬送部材を有していることを特徴とする［１］に記載の処理プラント。
［１２］  前記第１のコンベヤー(３０)は、前記第１の原料搬送部分（３１）での第１のエンドレス搬送部材と、前記第２の原料搬送部分（３２）での第２のエンドレス搬送部材とを有し、これらエンドレス搬送部材は、前記第１のコンベヤー(３０)の周りに連続した搬送面を形成していることを特徴とする［１］に記載の処理プラント。
［１３］  前記処理装置(１０)は、処理装置の供給ホッパー(１２)を有し、この供給ホッパーは、開口するように回動可能な側部(１１)を有し、又、前記第１の原料搬送部分の排出端部は、搬送位置で、前記回動可能な側部(１１)を介して前記供給ホッパーの側部間へと設定されていることを特徴とする［２］に記載の処理プラント。
［１４］  この鉱物原料の処理プラントは、移動可能な破砕プラントであることを特徴とする［１］に記載の処理プラント。
［１５］  鉱物原料の処理装置(１０，２０)と、処理装置の運転の間に、処理装置に供給する第１のコンベヤー(３０)とを具備し、前記第１のコンベヤー(３０)は、第１の原料搬送部分(３１)を有する、鉱物原料の処理プラントを運転させるための方法において、前記第１のコンベヤー(３０)は、第２の原料搬送部分(３２)と、
第２の原料搬送部分を第１の原料搬送部分に、
搬送された原料が前記第２の原料搬送部分の排出端部(３２’)を介して、前記処理装置(１０，２０)に搬送されるように配設された動作の時間のための動作位置と、
前記動作位置に対して第１の回動方向にあり、前記第２の原料搬送部分の排出端部の突出部が、上から見られたときに、処理装置の持ち上げ中心を自由にするように配置されている保守点検位置と、に
回動可能に支持させる枢支部(３３)とを有している、ことを特徴とする、方法。
［１６］  搬送の時間の間、前記保守点検位置と比較して前記動作位置に対して第２の原料搬送部分の反対の回動方向で、搬送位置に前記第２の原料搬送部分を回動させ、
前記搬送位置で、第２の原料搬送部分の排出端部は、処理装置の運転の間に、処理装置の供給ホッパー(１２)と処理装置との最高ポイントにより規定された高さを実質的に超えない高さで、処理装置(１０)に接近していることを特徴とする［１５］に記載の方法。
［１７］  クラッシャー(１０)により破砕するか、スクリーン(２０)によりふるい分けするか、又は、クラッシャー(１０)とスクリーン(２０)とにより破砕とふるい分けとをするように処理プラントを運転させることを特徴とする［１５］に記載の方法。
［１８］  前記動作位置で、前記第１のコンベヤー(３０)に連続するように接続されて第２の処理装置(２０)に供給する第２のコンベヤー(４０)に、第２の原料搬送部分(３２)による原料を供給することを特徴とする［１５］に記載の方法。
［１９］  前記第１のコンベヤー(３０)に設けられた１つの流圧アクチュエータ（８０）又は１対の流圧アクチュエータにより、前記第１の原料搬送部分（３１）に対して前記第２の原料搬送部分（３２）を回動させることを特徴とする［１５］に記載の方法。
［２０］  前記処理装置(１０)に設けられた供給ホッパー(１２)の回動可能な開口側部(１１)を開口させることと、前記第１の原料搬送部分の排出端部を、搬送位置で、前記回動可能な開口側部(１１)を介して前記供給ホッパーの側部間へ設定することとを特徴とする［１５］に記載の方法。
【図１】
0006321179.tif 000002
【図２】
0006321179.tif 000003
【図３】
0006321179.tif 000004
【図４】
0006321179.tif 000005
【図５】
0006321179.tif 000006
【図６】
0006321179.tif 000007
【図７】
0006321179.tif 000008
【図８】
0006321179.tif 000009
【図９】
0006321179.tif 000010
【図１０】
0006321179.tif 000011
【図１１】
0006321179.tif 000012
【図１２】
0006321179.tif 000013
【図１３】
0006321179.tif 000014
【図１４】
0006321179.tif 000015
【図１５】
0006321179.tif 000016